(57)【特許請求の範囲】
【請求項１】
表示面を備えた紙状の表示体を、吊下げ具の商品掛止め部に掛止保持可能に二つ折り姿勢に折り曲げ、この折り曲げ箇所を含む部位には、吊下げ具の吊下げ部を挿通させるための開口を現出する係合片を、表示体の一方の折り曲げ半表示体との連続箇所を支点として裏面側に切り起し形成するとともに、この切り起された係合片を前記吊下げ具の前記商品掛止め部の貫通開口を通して、表示体の他方の折り曲げ半表示体に形成されている係合孔と係合することで吊下げ具の商品掛止め部に対して挟着自在に構成してある商品表示体。
【請求項２】
前記係合片が、他方の折り曲げ半表示体に形成された複数の係合孔に対して表裏に交互に貫通する蛇行状態で挿入可能に構成されている請求項１記載の商品表示体。
【請求項３】
前記表示体には、開口の幅及び係合片の長さを調整するための人為操作で破断可能な切込み誘導操作線が形成されている請求項１又は２記載の商品表示体。
【請求項４】
前記表示体の折り曲げ箇所には、折り曲げを容易にする折り曲げ線が形成されている請求項１〜３のいずれか１項に記載の商品表示体。
【請求項５】
前記係合片の先端部には、係合孔の周縁に係合する掛止部が形成されている請求項１〜４のいずれか１項に記載の商品表示体。
【請求項６】
前記係合孔の周縁には、前記係合片の掛止部が挿入可能な係入案内用の切込みが形成されている請求項４記載の商品表示体。
【発明の詳細な説明】
【０００１】
【発明の属する技術分野】
本願発明は、衣類等の商品を陳列する吊下げ具に掛止して、吊り下げられた商品に関連する情報を表示する商品表示体に関する。
【０００２】
【従来の技術】
従来の商品表示体としては、バーコード等を印刷するための表示面を備えた紙状の表示体を吊下げ具の商品掛止め部の頂上部分に掛止め可能な二つ折り姿勢に折り曲げ、その折り曲げ箇所の幅方向中央位置には、ハンガーの吊下げ部が挿通する開口が打ち抜き形成されているとともに、一方の折り曲げ半表示体の下半側に、その幅方向の中央に帯状の係合片を形成するためのスリットが切り込み形成され、更に、他方の折り曲げ半表示体の下部側には、吊下げ具の商品掛止め部の頂上部分に表示体を二つ折り姿勢で掛け止めた状態で、商品掛止め部の貫通開口を通して反対側に押し出された係合片の下端部を挿入係止させることにより、吊下げ具の商品掛止め部に表示体を挟着させるための係合孔が形成されているものが提案されている（実公平１−３５７６０号公報）。
【０００３】
【発明が解決しようとする課題】
しかしながら、上記構成の商品表示体では、ハンガー吊下げ部に対する挿通用開口を形成するための打ち抜き加工、係合片を区画形成する二条のスリットを形成するための切り込み加工、係合孔を形成するための打ち抜き加工が必要で、しかも、加工位置が表示体の全域に分散するため、加工装置全体が複雑化、大型化し易く、製造コストの高騰化の要因になっていた。
【０００４】
しかも、係合片が一方の折り曲げ半表示体の下半部分に形成され、かつ、係合孔が他方の折り曲げ半表示体の下部側に形成されていて、係合片の上端から折り曲げ箇所までの間、及び、係合孔から折り曲げ箇所までの間が表示面に形成されているため、表示面の表示面積を大きくすればする程、係合片及び係合孔から折り曲げ箇所までの間隔を大きく取る必要があり、その結果、加工装置の大型化を助長することになる。
【０００５】
本願発明は、上記の実状に鑑みて為されたもので、その主たる課題は、従来と同様に吊下げ具の商品掛止め部に対する表示体の挟着操作を簡便に行ないながらも、吊下げ具の吊下げ部に対する挿通用開口及び係合片の合理的な改良により、加工数の削減と加工装置の簡略化、小型化を促進して製造コストの低廉化を図ることのできる商品表示体を提供する点にある。
【０００６】
【課題を解決するための手段】
本願発明の請求項１による特徴構成は、
表示面を備えた紙状の表示体を、吊下げ具の商品掛止め部に掛止保持可能に二つ折り姿勢に折り曲げ、この折り曲げ箇所を含む部位には、吊下げ具の吊下げ部を挿通させるための開口を現出する係合片を、表示体の一方の折り曲げ半表示体との連続箇所を支点として裏面側に切り起し形成するとともに、この切り起された係合片を前記吊下げ具の前記商品掛止め部の貫通開口を通して、表示体の他方の折り曲げ半表示体に形成されている係合孔と係合することで吊下げ具の商品掛止め部に対して挟着自在に構成してある点にある。
【０００７】
上記特徴構成によれば、吊下げ具の商品掛止め部に表示体を二つ折りの折り曲げ姿勢で掛止させたのち、一方の折り曲げ半表示体との連続箇所を支点として裏面側に切り起こされた係合片を吊下げ具の商品掛止め部の貫通開口を通して他方の折り曲げ半表示体に形成されている係合孔に差し込み係合させることにより、表示体を折り曲げ姿勢で吊下げ具の商品掛止め部に簡単に挟着させることができる。
【０００８】
しかも、表示体の折り曲げ箇所を含む部位に形成した係合片を切り起し形成することにより、表示体の折り曲げ箇所に、吊下げ具の吊下げ部を挿通させるための開口を現出することができるから、この挿通用開口を形成するための専用の加工を削除することができ、更に、係合片及び係合孔が表示体の折り曲げ箇所に集約されるから、それ以外の部位に形成される表示面の面積を拡大しても、表示体に対する加工装置が大型化することはない。
【０００９】
従って、吊下げ具の商品掛止め部に対する表示体の挟着操作を簡便に行うことができるものでありながら、表示体に対する加工数が少なくて済み、しかも、加工位置の集約化に伴う加工位置の簡素化、小型化、製造コストの低廉化を図ることができる。
【００１０】
本願発明の請求項２による特徴構成は、
前記係合片が、他方の折り曲げ半表示体に形成された複数の係合孔に対して表裏に交互に貫通する蛇行状態で挿入可能に構成されている点にある。
【００１１】
上記の特徴構成によれば、係合片を他方の折り曲げ半表示体に形成された複数の係合孔に対して表裏に交互に貫通する蛇行状態で挿入させることによって、係合片の係合孔からの抜け出しを効果的に規制することができるので、粘着テープ等の接着部材を別に使用する必要がなく、従って、製作コストを低廉化することができる。
【００１２】
本願発明の請求項３による特徴構成は、
前記表示体には、開口の幅及び係合片の長さを調整するための人為操作で破断可能な切込み誘導操作線が形成されている点にある。
【００１３】
上記の特徴構成によれば、例えば、吊下げ具の商品掛止め部における貫通開口周縁から外面までの上下幅が広い場合でも、その上下幅の大きさに応じて、切り込み誘導操作線の破断位置を人為操作によって調整することにより、係合片を適正な長さに調節することができるので、様々の吊下げ具に対して、切込み誘導操作線に沿って適当な長さに破断操作するといった簡単な作業で、迅速、容易に調整することができる。
【００１４】
本願発明の請求項４による特徴構成は、
前記表示体の折り曲げ箇所には、折り曲げを容易にする折り曲げ線が形成されている点にある。
【００１５】
上記の特徴構成によれば、表示体を吊下げ具の商品掛止め部に対して掛止め可能に折り曲げる際、その折り曲げ箇所に形成されている折り曲げ線が折り曲げ案内するので、容易、正確に折り曲げることができる。
【００１６】
本願発明の請求項５による特徴構成は、
前記係合片の先端部には、係合孔の周縁に係合する掛止部が形成されている点にある。
上記の特徴構成によれば、掛止部が係合孔の周縁に係合することで、係合片が係合孔から抜け出ることを防止するので、表示体を吊下げ具に確実に挟着させることができるとともに、係合片に掛止部を形成するだけの簡単な改造で済む。
【００１７】
本願発明の請求項６による特徴構成は、
前記係合孔の周縁には、前記係合片の掛止部が挿入可能な係入案内用の切込みが形成されている点にある。
上記の特徴構成によれば、例えば、掛止部が係合片の両側端に突出形成されている場合でも、係合孔の周縁の掛止部に対応する位置に係入案内用切込みが形成されているので、係合片の掛止部が係合孔から抜出すことを防止しながら、掛止部を形成したことによって最大幅が広くなった係合片であっても、係合孔にスムーズに挿入することができる。
【００１８】
【発明の実施の形態】
〔第１実施形態〕
図１〜図５は、本願発明の第１実施形態を示し、商品に関連する情報を印刷Ｐ等の適宜手段で表示するための表示面Ｄを有する厚紙製で矩形の表示体Ａの長手方向中央部に、吊下げ具の商品掛止め部の一例であるハンガー１１のハンガー本体１１ｂに二つ折り姿勢で掛止保持させるべく、ハンガー本体１１ｂの厚みよりも少し大なる間隔を隔てて二本の平行な折り曲げ線４を形成し、この両折り曲げ線４に沿ってそれぞれ直角に折り曲げて、ハンガー本体１１ｂの上部に対して掛止め可能なハンガー掛代部５を形成するとともに、このハンガー掛代部５を含む長手方向沿った部位には、吊下げ具の吊下げ部であるハンガー１１の吊下げフック１１ａを挿通させるための開口１を現出する状態で、かつ、一方の長尺側の折り曲げ半表示体Ａ１に連続する状態で係合片２が切り起し形成されているとともに、他方の短尺側の折り曲げ半表示体Ａ２の下部には、吊下げフック１１ａを開口１に挿通させた状態で、かつ、一方の長尺側の折り曲げ半表示体Ａ１との連続箇所を支点として、切り起こされた係合片２の下端部分が挿入係合される係合孔３ａ，３ｂが形成されている。
【００１９】
表示体Ａの２本の折り曲げ線４は、表示体長辺方向中央位置よりも係合孔３ａ，３ｂ側に偏位した位置に表示体短辺方向に表面側から筋押し加工を施すことで形成され、その表示体Ａ表面には凹状線が、その裏面には凸状線が形成される。
【００２０】
また、係合片２の表示体短辺方向両側辺、即ち開口１と係合片２とを現出する分離線Ｔに沿って、係合片２の長さ及び開口１の幅を調整するための人為操作で破断可能な切り込み誘導操作線の一例であるミシン目６が形成されている。
【００２１】
係合孔３ａ，３ｂは、係合片２を蛇行状態で挿入係合可能な領域に形成された２つの長孔から構成されていて、ハンガー１１の吊下げフック１１ａの三角形状の貫通開口１１ｃを通った係合片２を第１係合孔３ａに表示体Ａの裏面側から挿通させたのち、その係合片２を表示体Ａの表面側から第２係合孔３ｂに挿通させる、即ち係合片２を２つの係合孔３ａ，３ｂに蛇行状態で挿入し係合させる。そうすると、係合片２が２つの係合孔３ａ，３ｂ間に形成される挟持部３ｃと表示体Ａとに挟圧される状態になり、係合片２が係合孔３ａ，３ｂから抜け出してその係合が解除されることを効果的に規制することができる。
〔第２実施形態〕
図６は本願発明の第２実施形態を示し、ハンガー掛代部５に切り起し形成される係合片２の先端部の両端に、第１及び第２係合孔３ａ，３ｂの周縁に選択的に係合可能な係合解除規制部である掛止部２ａが外方に突出形成されるとともに、第１及び第２係合孔３ａ，３ｂの両側端に、係合片２の掛止部２ａの突出代よりも外方に延出する係入案内用の筋状の切込み７が厚紙製の表示体Ａの厚さよりも細幅に形成されている。
【００２２】
そして、係合片２を係合孔３ａ，３ｂに係合させる際には、係合孔３ａ，３ｂの切込み７を通って挿入される係合片２の掛止部２ａが係合孔３ａ，３ｂの長手方向幅よりも外側方に突出するように形成されていて、しかも、切込み７が表示体Ａの厚さ、即ち、係合片２の掛止部２ａの厚さよりも細幅に形成されているので、掛止部２ａが係合片２の係合孔３ａ，３ｂからの抜け出しを防止する所謂返しとなって、係合孔３ａ，３ｂの両側端に掛止して、その係合をより確実なものにするとともに、掛止部２ａの返し機能の効果を低減させることなく、係合片２を係合孔３ａ，３ｂに挿入する際もスムーズに挿入することができる。
尚、その他の構成は、第１実施形態で説明した構成と同一であるから、同一の構成箇所には、第１実施形態と同一の番号を付記してそれの説明は省略する。
【００２３】
〔その他の実施形態〕
１．上述の第１及び第２実施形態では、厚紙製の表示体Ａについて説明したが、可撓性で紙状の合成樹脂製表示体等、その他の材料から製造される表示体であってもよい。
【００２４】
２．上述の第１及び第２実施形態では、矩形の表示体Ａについて説明したが、表示体Ａの形状は矩形状に限るものではなく、その他の形状であってもよい。
【００２５】
３.   開口１と係合片２との関係において、表示体Ａを展開したとき、切り起し形成された係合片２が開口１の一部を閉塞するものであってもよい。換言すると、表示体Ａを展開したとき、係合片２と開口１との間に隙間が生じて係合片２が開口１を完全に閉塞しないものであってもよい。
【００２６】
４．上述の第１及び第２実施形態では、折り曲げ線４は筋押し加工に施されているが、ミシン目等の他の折り曲げ加工を施したものであってもよい。
【００２７】
５．上述の第１及び第２実施形態では、表示体Ａを折り曲げ線４に沿って折り曲げているが、表示体Ａの製作工程において金型等で成形してあってもよい。
【００２８】
６．上述の第１及び第２実施形態では、２つの係合孔３ａ，３ｂが形成されているが、１つでも、また、３つ以上形成されていてもよい。
【００２９】
７．上述の第２実施形態では、係合片２に形成されている掛止部２ａが係合片２の先端部両側端に形成されていたが、返し機能の効果を奏する位置であれば、如何なる位置に形成してもよい。
【図面の簡単な説明】
【図１】  本願発明の第１実施形態を示す展開正面図
【図２】  使用時における正面図
【図３】  使用時における背面図
【図４】  係合部分の拡大断面図
【図５】  使用時における斜視図
【図６】  本願発明の第２実施形態を示す展開正面図
【符号の説明】
Ａ        表示体
Ｄ        表示面
１        開口
２        係合片
２ａ      係合解除規制部
３        係合孔
４        折り曲げ線
５        折り曲げ箇所
６        切込み誘導操作線
７        係入用切込み
１１      吊下げ具
１１ａ    吊下げ部
１１ｂ    商品掛止め部
１１ｃ    貫通開口
【図１】
0003672542.tif 000002
【図２】
0003672542.tif 000003
【図３】
0003672542.tif 000004
【図４】
0003672542.tif 000005
【図５】
0003672542.tif 000006
【図６】
0003672542.tif 000007